(57)【特許請求の範囲】
【請求項１】
シート部と、
基部と、
シート部と基部との間に作動可能に設置され、スプリング構造をなす中間部と、
基部に対して中間部を傾動可能に、かつ傾動位置から原位置に復帰可能に装着する手段であって、その基部は、固定された軸を有している手段と、
地面から一定間隔をおいて軸に保持されているフットリングと
を備えるバースツール。
【請求項２】
軸上のフットリングの高さを調節する手段を備える請求項１に記載のバースツール。
【請求項３】
中間部が中央柱とスプリング装置とよりなるバースツールであって、シート部と基部との間における着座時の重量に基づく力は、中央柱とスプリング装置へと直列の経路を介して伝達されることからなる請求項１に記載のバースツール。
【請求項４】
中央柱とスプリング装置が同心状に配設されるとともに、軸受けガイドが中央柱とスプリング装置との間に作動可能に設置された請求項３に記載のバースツール。
【請求項５】
中央柱とスプリング装置が同心状に配設され、スプリング装置が動的スプリング装着手段と静的スプリング装着手段とを備え、更には動的スプリング装着手段と静的スプリング装着手段との間にスプリングが作動可能に設置された請求項３に記載のバースツール。
【請求項６】
軸受けガイドが中央柱と静的スプリング装着手段との間に配設される請求項５に記載のバースツール。
【請求項７】
中央柱が軸受けガイドと協調する少なくとも１個の垂直なガイドトラックを備えるスプリング柱である請求項４に記載のバースツール。
【請求項８】
スプリング柱の長さを調節する手段を備える請求項７に記載のバースツール。
【請求項９】
軸受けガイドが一定の間隔をおいて異なった高さに配設された少なくとも２つの部位よりなる軸受け手段を備える請求項３に記載のバースツール。
【請求項１０】
軸受け手段が複数の軸受け要素を備える請求項９に記載のバースツール。
【請求項１１】
軸受け要素がローラを備える請求項１０に記載のバースツール。
【請求項１２】
軸受け要素がボールを備える請求項１０に記載のバースツール。
【請求項１３】
軸受け要素をガイドトラックに対して押圧するようにスプリング装填手段を備える請求項１０に記載のバースツール。
【請求項１４】
軸受け手段がガイドトラックの周縁部において少なくとも４個の軸受け要素を有する請求項１０に記載のバースツール。
【請求項１５】
軸受け要素を保持する軸受け要素装着部材を備える請求項１０に記載のバースツール。
【請求項１６】
軸受け要素装着部材をガイドトラックに対して押圧し、軸受け要素をガイドトラックに対して押圧する圧縮スプリングを備える請求項１５に記載のバースツール。
【請求項１７】
軸受け要素装着部材が弾性変形可能な領域を有するとともに、その弾性的変形により軸受け要素をガイドトラックに対して押し付ける請求項１５に記載のバースツール。
【請求項１８】
軸受け要素装着部材が軸受け要素をガイドトラックに対して押し付けるために弾性変形可能な突出部を有する請求項１５に記載のバースツール。
【請求項１９】
軸受け要素装着部材が静的スプリング装着手段の管とガイドトラックとの間において予め設定された範囲内を移動する請求項１５に記載のバースツール。
【請求項２０】
スプリング装置が動的スプリング装着手段と、静的スプリング装着手段と、両スプリング装着手段の間に作動可能に設置されたスプリングとを備えるバースツールであって、ガイドトラックがスプリング柱の下端部に連結された第１端部と、動的スプリング装着部材に連結された第２端部とを備える請求項７に記載のバースツール。
【請求項２１】
ガイドトラック管とスプリング柱との間に平坦な軸受けブッシュを備える請求項２０に記載のバースツール。
【請求項２２】
動的スプリング装着手段と静的スプリング装着手段との間の間隔を調節するための手段を備える請求項２０に記載のバースツール。
【請求項２３】
軸受けガイドが載置される支持脚本体を備える請求項４に記載のバースツール。
【請求項２４】
支持脚本体と、軸受け要素装着部材を支持脚本体に半径方向に変位可能に装着する手段とを備える請求項１５に記載のバースツール。
【請求項２５】
支持脚本体を基部上に装着するスプライン連結部を備える請求項２３に記載のバースツール。
【請求項２６】
支持脚本体上においてスプリング支持手段として回転可能なユニオンナットを備えるバースツールであって、ユニオンナットを介してスプリング装置のスプリングに圧縮応力を予め加えられ得る請求項４に記載のバースツール。
【請求項２７】
中間部と基部との間においてゴム−金属の揺動する接続体の復帰装置を備える請求項１に記載のバースツール。
【請求項２８】
復帰装置の復帰力を調節するための手段を備える請求項２７に記載のバースツール。
【発明の詳細な説明】
【０００１】
【発明の属する技術分野】
本発明はスツール、より詳細にはバースツールに関する。
【０００２】
【従来の技術】
典型的なバースツールはシート部、中間部及び基部を備えている。しかしながら、このようなスツールは使用者が極めて静的な状態で座らなければならないという不都合がある。従って、そのようなバースツールの上で過ごす長い夜の間に、使用者は背筋の疲労により、健康上好ましくない姿勢で座ることになる。日中においても、多くの人が事務所等にて座ったままで仕事をし、背筋を悪化させている。特に背筋がすでに弱化または悪化した人が、例えば夜に静的なバースツールに腰掛けると、健康上好ましくない姿勢を取る傾向が更に大きくなり、ますます背中の痛み等を示す結果になる。椎間板に通常不適切とされる負荷を連続して与えることは、椎間板への血液の供給を極端に少なくし、永続する背中の損傷をもたらす可能性が出てくる。バースツールに座る時のその他の欠点は、脚が下方に向けて傾斜して垂れ下がることにより、使用者の多くが腰部にくぼみのできる姿勢を取るようになることである。そのような姿勢が不愉快と感じると、使用者はバーに寄り掛かり、椎間板が一方に偏った負荷を受けることになる。
【０００３】
【発明が解決しようとする課題】
本発明の目的は、使用者が健康的な姿勢で座ることを促進するバースツールを提供することにある。
【０００４】
本発明の他の目的は使用者に治癒効果を与え得るバースツールを提供することにある。
本発明のその他の目的は、簡単な構造でありながら、長時間にわたって動かないことに起因する筋肉組織固化を使用者に患わせずに、使用者をスツール上において少なくともある程度動きのある状態に留めておくバースツールを提供することにある。
【０００５】
【課題を解決するための手段】
本発明の原理に従い、上述及び他の目的はシート部と、基部と、両部を連結するためにこれらの間に作動可能に配設される中間部とを備えるバースツールにより達成される。中間部はスプリング入りの構成をなしているとともに、基部に対して揺れ動きが可能で、揺れ動いた時は元の位置に復帰することが可能なように装着される。
【０００６】
スプリング入りの中間部により、バースツールは縦軸に僅かな動きを受けても揺動するので、スツール使用者の背筋組織は常に動いた状態にあり、その上椎間板は静的負荷に晒されることはない。
【０００７】
中間部が基部に傾斜可能で、しかも傾斜位置から復帰可能に装着されることより、使用者は常にかすかに前後に揺動することになる。その結果、使用者の背筋組織は常に動いている状態になり、椎間板に血液が十分に供給されることになる。
【０００８】
好ましくは本発明の態様において、基部は固定され、即ち静止した軸を備えている。基部と中間部の間の回動点は軸の上端部に設置される。
固定軸が存在していることで、回動点がシート面から大きく離間することなく、前後左右の揺動が適切で好ましい範囲内に限定されることが確実になる。
仮に対照的に前後の揺動の中心になる回動点が地面、即ち床面にあるとすると、バースツールの前後の揺動は過剰なものとなり、バースツールがそのような動きに不慣れな人に安全に使用されることはもはや不可能になるであろう。
【０００９】
好ましくは本発明のその他の態様において、フットリングが地上、即ち床面から、換言すればスツールの底から予め設定された距離を置いて軸に保持される。フットリングは軸に固定され得るので、ほぼ静止状態となる。従って、スツール使用者はフットリングに足を置くことができ、使用者の骨盤領域及び上半身が前後に揺動するにも拘わらず、足をフットリングに置くことができるため安全で、安定したシート姿勢を保つ。
【００１０】
好ましくは本発明の態様に従い、フットリングの高さは軸上で調節可能であり、それによって使用者の要求に合致するように最適に調節することが可能になる。
【００１１】
好ましくは、スプリング入り中間部は中央柱及びスプリング装置とを備えている。中央柱とスプリング装置はシート部と基部との間で着座時の重量に基づく力に関して直列に連結されている。中央柱とスプリング装置が上述した状態で直列に連結されることにより、中央柱は縦軸を中心とするスプリング効果が阻害されることなしに、高さを調節することが可能な構造をなし得る。
【００１２】
この利点のある構造において、軸受けガイドが中央柱とスプリング装置との間に作動的に設置された状態で、中央柱及びスプリング装置が同心状に配設されることが好ましい。中央柱とスプリング装置が同心状をなすことにより、比較的簡単な構造で、中央柱とスプリング装置の直列の配設を提供することが可能になる。このことは、既述のごとく、回動点はシート面から遠く離れていないが、ただ単に中央円柱及びスプリング装置を直列に配設することにより、回動点を基部の方向に大幅に移動させることができるため、非常に重要なことである。
【００１３】
スプリングが動的スプリング装着手段と静的スプリング装着手段との間で作動可能に配設された状態で、スプリング装置が動的スプリング装着手段と静的スプリング装着手段とを備えることが好ましい。この比較的簡単な構造により、通常のスプリングを標準的部材として使用することが可能になる。
【００１４】
中央柱は高さが調節可能なスプリング柱の形式であり、軸受けガイドと協調する少なくとも１個の縦のガイドトラックを備えることが好ましい。
ボール又はローラが軸受け要素として使用されることが好ましい状態で、軸受けガイドが高さを変えて配設される２つの部分からなる軸受け手段を備えることが好ましい。
【００１５】
特に好ましくは本発明による構造において、軸受け要素はスプリングの負荷によりガイドドラックに対して押圧される。軸受け要素がスプリング負荷を受けないで使用されれば、製造時の不正確さと許容誤差は使用者がスツールの前後及び左右の揺動時に非常に大きく感じられ、その不正確さと許容誤差は使用者がスツールの前後の揺動を含む動的な状態で座っている時、健康上好ましくない影響を与える。
【００１６】
それぞれの軸受け手段用に少なくとも２個の軸受け要素がガイドトラック上に配設されることが好ましい。
このような装置では、軸受け要素装着部材が軸受け要素を圧縮スプリング又は弾性変形可能な領域又は弾性変形可能な突出部のいずれかにより、ガイドトラックに対して押圧する状態で、軸受け要素は軸受け要素装着部材に保持されることが好ましい。従って、圧縮スプリング又は弾性変形可能な領域又は弾性変形可能な突出部が半径方向内側において軸受け要素をガイドトラックに対して押圧する。
【００１７】
好ましくは態様において、ガイドトラックはスプリング柱の下端部に連結する第１端部とスプリング装着部材装置の動的端部に連結する第２端部とを有する管を備える。
【００１８】
平坦な軸受けブッシュが、ガイドトラック管と望ましくはガススプリング部品の方式のスプリング柱との間に配設されることが好ましい。中間部の縦軸を中心とする動的な連続する前後及び左右の揺動の場合には、ガススプリング部品がその揺動に最小範囲内でしか関与しない状態で、跳躍するのは基本的にはスプリング装置であり、高さの変位に関与するのは基本的に平坦な軸受けブッシュである。
【００１９】
軸受けガイドは支持脚本体に配設され、軸受け装着部材はその支持脚本体中で半径方向において変位可能にスプリング負荷の下で保持される。スプリングが装填された軸受け要素を供給することにより、寸法的不正確さと許容誤差の補正とがすすめられる。従って、この構造により、スツールの中間部の縦軸を中心とした均一な、苦痛を与えない、ほぼ騒音を伴わない揺動が提供される。
【００２０】
好ましい態様において、支持脚本体はスプライン連結部により基部における軸に固定され得る。
動的スプリング装着部材と静的スプリング装着部材との間の間隔は調節可能であることが好ましい。この目的のため、回転可能なユニオンナットがスプリング支持手段として支持脚本体上に提供され、そのナットによりスプリング装置のスプリングは圧縮応力を受け得る。スプリングが圧縮応力を受けることにより、スツールは使用者の体重に合わせて調節することが可能になり、使用者がスツールに座った時、シート部のシート面が、許容範囲を超えて大幅に、又僅少に下動することはない。上述したように、圧縮応力の機構は回転可能なユニオンナットによって支持脚本体上に形成されることが好ましく、そのユニオンナットを回転することにより、スプリングの圧縮応力は増減する。
【００２１】
スツールは中間部と基部の間に、ゴム−金属の揺動する接合体のような弾性材料―金属複合体によって形成される揺動接合体の方式の復帰装置を備えることが好ましく、スツールの復帰力はハンドホイール等によって調節され得る。
【００２２】
本発明のその他の目的、態様及び利点は本発明の実施形態の以下の記載により明白になる。
【００２３】
【発明の実施の形態】
図１は、シート部１と中間部３と基部２とを備える揺動バースツールの側半断面図である。中間部３は中央円柱、即ち中央柱４とスプリング装置５とを有し、下端部において基部２に対して揺れ動きが可能で、揺れ動いた時は元の位置に復帰することが可能なように保持される。中央柱４は高さが調節可能なスプリング柱１０の形状をなし、一般的にはガススプリング部品の形状をしている。シート部１は、押入式接合具２２を介してスプリング柱１０に固着されており、スプリング柱１０の下端部に設置された軸受け２３により、スプリング柱１０の縦軸を中心に回転可能である。シート部１のシート面の高さを調節するために、シート面の下側にレバー２４が設けられており、レバー２４は作動時既知の方法で高さが調節できるようにスプリング柱１０に作用する。中央柱４は、スプリング柱１０を取り囲む管の形状をなす。スプリング柱１０は下端部において軸受け２３を介してスプリング柱１０に回転可能に連結されている垂直なガイドトラック１１を備えている。
【００２４】
動的なシート特性を得るべく、シート部１と基部２との間における着座時の重量に基づく力は、中央柱４からスプリング装置５へと直列の経路を介して伝達される。力がスプリング装置５から中央柱４を介して伝達される逆の構成でもよい。
【００２５】
スプリング装置５は静的スプリング装着部８と、コイル状に示されているスプリング９と、動的スプリング装着部７とを備えている。動的スプリング装着部７はガイドトラック１１の上端部に固着されている。軸受けガイド６は、中央柱４とスプリング装置５とを相対移動させるべく、スプリング装置５とガイドトラック１１の間に作動可能に設けられている。実施形態では、軸受けガイド６は支持脚本体１５の上部保持部に保持される２つの軸受け手段１２を備えている。支持脚本体１５は中央柱４の下端部を形成し、スプライン連結部１６を介して基部２に係合している。支持脚本体１５はその下方領域においておねじが螺刻され、スプリング９の支持手段として同時に機能するユニオンナット１７に螺合している。スプリング９はユニオンナット１７によって圧縮応力が加えられ、シート部１のシート面が負荷を受けた時、同シート面が使用者の体重に合わせて下方に移動し得る。
【００２６】
中間部３はスプライン連結部１６を介して基部２の復帰装置２１に嵌合されている。復帰装置２１はゴム−金属による揺動可能な連結の形式をなす。復帰装置２１は上方部２５と下方部２７を備えている。上方部２５の上端部はスプライン連結部１６を構成しているほぼ管状をなし、下方部２７は基部２のアーム３１に固定されている。軸部４０は下方部２７に嵌合している。軸部４０の底部は下方部２７内に収容されており、その頂部の外形は椀状をなし上方部２５を包囲している。弾性材料２６は軸部４０の頂部と上方部２５との間に配設されている。弾性材料２６は両部の間に配設されると同時に両側壁間にも配設されている。上方部２５、軸部４０、下方部２７の三者はねじ２９を介して連結されている。一方、復帰装置２１はねじ２９と協調する調節ナット２８を介して圧縮応力が加えられ得る。かくて、復帰させる力は調節され得ることになる。図１に示す代替の構成では、復帰装置２１の特徴をより柔軟にしかもより快適にする更なる弾性要素３０がねじ２９の頭と上方部２５との間に配設される。
【００２７】
フットリング５０はスリーブ５２を介して軸部４０の円柱形状をなす外側に固定される。スリーブ５２はねじが刻設された孔を有しており、その孔には止めねじ５３が螺合されている。換言すると、フットリング５０は止めねじ５３を介して軸部４０に係止、すなわち固定されている。止めねじ５３を緩めることにより、フットリング５０の高さは軸部４０の長さに亘って調節可能である。
【００２８】
基部２は一般にほぼ閉鎖した環状をなし、基部２の上に復帰装置２１が、従って中間部３とシート部１とがアーム３１を介して中央に装着されている。負荷が掛かるとアームは弾性変形し、スツールは復帰装置２１の下端部にある摩擦促進接触装置３３を介して床面又は地面に対して押し付けられることになる。
【００２９】
スツールの環状の基部２にはローラ、即ちボール３４が設けられ、ボール３４は負荷を受けて基部２の中へ可撓的に没入する。可撓的に延伸した状態でロックされたり係止されたりする設計になっているドイツ工業規格に適合するローラを使用することも可能である。このローラはスツールが受ける負荷が低い時はスツールが変位し、負荷が最大になると、基部２に可撓的に没入するようになっている。
【００３０】
図２は、図１に示す揺動バースツールの中間部３の下方部と復帰装置２１とを示す拡大図である。フットリング５０はここでは示されていない。中間部３の縦軸（図示せず）を中心とした動的な動きを受けると、ガイドトラック１１とスプリング装置５との間で相対運動が起きる。その相対運動はスプリング装置５とガイドトラック１１との間にある前述軸受けガイド６により可能になる。軸受けガイド６については図３、４（ａ）、４（ｂ）、４（ｃ）を参照して後記する。延伸した状態でのスプリング９の動程は垂直のガイドトラック１１の下端部における当接部３５により制限される。当接部３５は支持脚本体１５の段部、即ち肩部と協調している。上方向への動程制限を騒音を出さずに行うために、ゴム環３６が支持脚本体１５と当接部３５との間に作動可能に設置される。弾性当接部３２は、上方向への道程を制限するために、ねじ２９の頭の上方に提供される。
【００３１】
中間部３の要部を示す図３では、軸受けガイド６が設置されている。実施形態では、軸受けガイド６は支持脚本体１５に保持されるとともにガイドトラック１１と協調する２個の軸受け手段１２を備えている。各々の面のために、軸受け手段１２の各々は、ガイドトラック１１の周縁部に分布する４個の軸受け要素１３を有する。軸受け要素１３はローラ、即ちボールの形状をしている（図４ａ参照）。本実施の形態では、軸受け要素１３はローラの形状をなし、ローラのローラ軸、即ちローラスピンドルの両端は軸受け要素装着部材１８内に収容されている。軸受け要素装着部材１８は支持脚本体１５内において半径方向に一定角度まで変位可能に保持され、ガイドトラック１１の方向に対してスプリングが装填されている。２つの代替の構成がスプリング装填を提供するために示されている。第１の代替の構成では、軸受け要素装着部材１８は圧縮スプリング１９を介して支持脚本体１５を包囲する管３７に対向して支持されている。それにより軸受け要素装着部材１８は軸受け要素１３をガイドトラック１１の方向に押圧している。管３７は上方から上部管状領域を覆うように又軸受け手段１２を固定させるために装着されている。
【００３２】
第２の代替の構成においては、軸受け要素装着部材１８はそれぞれ弾性突出部２０を有する。弾性突出部２０は自身が弾性変形することにより、軸受け要素装着部材１８を押圧するとともに、軸受け要素１３をも押圧している。
【００３３】
図４（ａ）は図３を参照して説明した軸受け要素１２の断面図である。図４（ｂ）は図４（ａ）の要部拡大図である。その代替の構成では、管３７を圧迫する圧縮スプリング１９を介して、軸受け要素１３に加えられたスプリング負荷を示す。図４（ｃ）は図４（ｂ）と同一部分を示すも、他の代替の構成を示している。図４（ｃ）の構造では、軸受け要素装着部材１８が管３７に対して支持され、従って軸受け要素１３をガイドトラック１１に対して押圧している弾性突出部２０を備えている。
【００３４】
図５は軸部４０に装着されたフットリング５０を備えた軸部４０の斜視図である。軸部４０はほぼ円柱形状をなし、その下端部方向に段部、即ち肩部４１を備える。軸部４０は下端部が正確に下方部２７嵌合され得るので、全体として円滑な円柱形状の外表面を有することが可能になる。軸部４０は上端部（図５では図示せず）が椀状なし、弾性材料２６と上方部２５とを受容する。
【００３５】
軸部４０は中心部において復帰装置２１に圧縮応力を加えたり、復帰装置２１を調節するためのねじ２９を受容するための通路４２を有する。
軸部４０は一般にダイ鋳物の形状をしており、一方補強リブ４３はその外壁部と通路４２との間に追加的に提供され得る。
【００３６】
フットリング５０はスリーブ５２を介して軸部４０の外周縁部に装着されており、一方スリーブ５２は止めねじ５３を介して軸部４０に係止、即ち固定される。
【００３７】
フットリング５０は支柱５１を介してスリーブ５２に連結され、その直径はほぼ５０ｃｍに設定されている。
図６は軸部４０の他の実施の形態を示す。軸部４０は充実体のアルミニウムを旋盤加工した部材である。
【００３８】
軸部４０はねじ２９用の通路４２と段部、即ち肩部４１とを有する。軸部４０の長さはさまざまに設定できる。
軸部４０は下方部２７に容易に装着可能なため、バースツールの高さを軸部４０の長さに亘って使用者の希望に適合させることは可能である。ねじ２９が軸部４０の長さに適合されることのみが必要である。
【００３９】
本発明は上述した実施の形態に限定されるものではなく、本発明に従って明細書中に記載された動的なシートを提供するいかなるバースツールをも含むものである。
【００４０】
従って、前記した本発明のバースツールの前述構成の改良及び変更は本発明の精神及び範囲を逸脱しない限りにおいて可能である。
【００４１】
【発明の効果】
以上詳述したように、本発明のバースツールにおいては、使用者が常に健康的な着座姿勢をとることができるという優れた効果を奏する。
【図面の簡単な説明】
【図１】揺動バースツールの側半断面図。
【図２】図１に示したバースツールの中間部における下部の拡大図。
【図３】軸受けガイドを有する中間部の領域を示す側面図。
【図４】（ａ）は軸受けガイド領域での中間部の断面図、（ｂ）は（ａ）の部分拡大図、（ｃ）は（ｂ）の代替構成を示す部分拡大図。
【図５】本発明によるスツールの実施形態の軸とフットリングとの斜視図。
【図６】軸の代替構成を示す断面図。
【符号の説明】
１…シート部、２…基部、３…中間部、４…中央柱、５…スプリング装置、
６…軸受けガイド、７…動的スプリング装着部、８…静的スプリング装着部、
９…スプリング、１０…スプリング柱、１１…ガイドトラック、
１２…軸受け手段、１３…軸受け要素、１５…支持脚本体、
１６…スプライン連結部、１７…ユニオンナット、２１…復帰装置、２５…上方部、２７…下方部、２９…ねじ、３１…アーム、５０…フットリング、
５２…スリーブ、５３…止めねじ。
【図１】
0004237296.tif 000002
【図２】
0004237296.tif 000003
【図３】
0004237296.tif 000004
【図４】
0004237296.tif 000005
【図５】
0004237296.tif 000006
【図６】
0004237296.tif 000007